(57)【要約】【課題】リサイクルカメラの不正規なリサイクルを確実に防止する。【解決手段】レンズ付きフイルムユニットの後ろカバーを外し、新しい写真フイルムカートリッジを入れ替えるときに、ストロボ装置の充電が充電禁止用ＩＣ４２によって不能となる。充電を回復させるため回復信号入力部４７に予め決められた回復信号を入力すると、ＧＰＳ受信装置５０内にある位置データ受信部６１に回復信号を入力した位置の位置データが受信され、メモリ６２内の予め設定された位置データとこの受信した位置データを位置判別部６０で判別し、この二つの位置データが一致した時にだけ不能となっていたストロボ回路の充電が回復される。【選択図】　　　　図６
2004020642.tif 000002
【特許請求の範囲】
【請求項１】
所定枚数の撮影終了もしくはカメラの所定構成部品を分離させる操作に応じて、カメラ機能を不能にする不能手段、及び所定の操作によって前記不能になったカメラ機能を回復させる回復手段とを備えたリサイクルカメラにおいて、
電波送信装置からの位置検出電波を受信し受信位置の検出を行う電波受信部、所定位置を記録させたメモリ、及び前記受信位置と前記所定位置を判別する判別部からなる電波受信装置を備えたことを特徴とするリサイクルカメラ。
【請求項２】
前記受信位置と前記所定位置が一致したときにだけ前記カメラ機能を回復させる所定操作を許容することを特徴とした請求項１記載のリサイクルカメラ。
【発明の詳細な説明】
【０００１】
【発明の属する技術分野】
本発明は、リサイクルカメラの不正規なリサイクル防止に関するものである。
【０００２】
【従来の技術】
リサイクルカメラとして、未露光の写真フイルムが予め装填されたレンズ付きフイルムユニットが各種販売されており、ストロボ装置を内蔵したものもある。使用済みのレンズ付きフイルムユニットは、製造メーカーによって回収され、構成部品ごとにリユース、あるいはリサイクルされている。
【０００３】
しかし、メーカー以外の業者が使用済みのレンズ付きフイルムユニットを回収し、未露光の写真フイルムを再装填し不正規に再販売している。このような製造メーカー以外の業者による詰め替え製品は、適正な検査や部品交換が行われずに再販売されるため、信頼性に乏しいという問題がある。また、詰め替え製品に発生する問題は、レンズ付きフイルムユニットそのものに対する信頼性を低くするため、従来のレンズ付きフイルムユニットでは製造メーカー以外の業者による不正規な再利用防止のための工夫が各種なされている。
【０００４】
この不正規な再利用を防止するために、特開２００１−０１３６３７号公報や特開２００１−０１３６３８号公報では次のような提案がされている。主要なカメラ機能であるストロボ装置のストロボ回路に充電動作の可否を制御するＩＣ（以下、充電禁止用ＩＣという）が搭載されており、電源の電池からストロボ装置とともに充電禁止用ＩＣに対して給電している。そして、すべての撮影終了もしくはカメラの所定構成部品の分離操作によって、ストロボ装置と充電禁止ＩＣへの給電が一時的に断たれる構造となっている。そのため、再びストロボ装置と充電禁止ＩＣへの給電が行われても充電禁止ＩＣによって充電禁止の状態が維持される。再び充電を再開するためには、充電禁止ＩＣへ所定の回復信号を入力しなければならない。
【０００５】
上記のように構成することにより、新たな写真フイルムを装填しようとして、後カバーをユニット本体から分離すると、その際に充電禁止用ＩＣを含むストロボ装置への給電が一時的に断たれるため、所定の回復信号を充電禁止用ＩＣに入力しない限りストロボ装置，及びそれを搭載したレンズ付きフイルムユニットの再利用ができないようになっている。
【０００６】
特開平９−１３５４１６号公報ではＧＰＳを利用して撮影位置や被写体位置を簡単に認識し表示できるスチルビデオカメラシステムの提案がされている。この公報では、オートフォーカスの測距機能又は専用の測距装置と方位センサーを備えたスチルビデオカメラにＧＰＳ受信装置を一体化させている。撮影時には被写体と共にＧＰＳ受信装置で受信した緯度、経度等の撮影位置データを記録媒体に記録している。更に、オートフォーカス又は測距装置で得られた測距データとＧＰＳ受信装置から得られた撮影位置データ、方位センサーで得られた方位データを利用して被写体の位置を演算し、被写体の位置も記録媒体に記録している。
【０００７】
【発明が解決しようとする課題】
しかしながら、上記のような充電禁止用ＩＣによってカメラ機能のストロボ装置の充電を不能にしても、充電禁止用ＩＣへの回復信号の入力は防止していないため、第三者によって回復信号の解読が行われ不正規な再利用をされる恐れがある。
【０００８】
本発明は、上記問題を解決するためになされたもので、より確実に不正規な再利用を防止出来るリサイクルカメラを提供することを目的とする。
【０００９】
【課題を解決するための手段】
上記目的を達成するために、本発明のリサイクルカメラでは、カメラ機能を回復させる所定操作を行った位置を検出するため、電波送信装置からの位置検出電波を電波受信部で受信し受信位置を検出する。この受信位置とメモリに設定されている所定位置とを判別部で判別し、所定操作を許容するか否かの制御をするものである。
【００１０】
【発明の実施の形態】
レンズ付きフイルムユニットの外観を図１に示す。レンズ付きフイルムユニット２は、簡単な撮影機構が組み込まれ、予め写真フイルムが装填されたユニット本体３と、このユニット本体３の外周に巻き付けられるようにして貼付される外装ラベル４とから構成されている。外装ラベル４には、ユニット本体３の上面から突出してストロボ充電の完了を表示するライトガイド５、フイルムカウンタ窓６等を露呈させるための開口等が形成されている。
【００１１】
ユニット本体３の前面には、左右方向にスライドして開閉される保護カバー８と、この保護カバー８の開放位置で露呈される撮影レンズ９、ファインダ１０、上下方向でスライド自在とされた操作ボタン１２、及び被写体に向けてストロボ光を照射するストロボ発光部１１が設けられている。前記操作ボタン１２はストロボ装置の充電スイッチをオン／オフさせる操作部材を構成している。またユニット本体３の上面及び背面には、前記ライトガイド５、フイルムカウンタ窓６、シャッタボタン１３、巻き上げノブ１４が設けられている。
【００１２】
操作ボタン１２は、上方へスライド操作された際に、ユニット本体３内に組み込まれたストロボ装置２３の電源をオンにし、充電を開始させるとともに、ストロボ発光を許容する。また、操作ボタン１２が下方にスライドされている際には、ストロボ回路へのストロボ充電は行われず、充電が完了している場合でもストロボ発光が禁止される。前記ライトガイド５は、操作ボタン１２の上方へのスライド操作に連動してユニット本体３の上面から突出され、ストロボ充電が完了するとユニット本体内で点灯したＬＥＤの光を外部に導いて、撮影者と被撮影者との両方にストロボ充電が完了したことを知らせる。
【００１３】
図２に示すように、ユニット本体２は、本体基部２０，前カバー２１，後カバー２２，ストロボ装置２３等から構成されており、写真フイルムカートリッジ２４が製造時に装填してある。この写真フイルムカートリッジ２４はカートリッジ２４ａと写真フイルム２４ｂとから形成されている。本体基部２０の前面中央には、撮影レンズ９から写真フイルム２４ｂまでの間の撮影光路を遮光する暗箱２６が設けられている。この暗箱２６を挟む両側方には、カートリッジ２４ａが収納されるカートリッジ室２５と、カートリッジ２４ａから引き出されロール上に巻かれた写真フイルム２４ｂが収納されるフイルム室２７が設けられている。
【００１４】
前記後ろカバー２２は、撮影済の写真フイルム２４ｂを全て収納したカートリッジ２４ａを取り出す際の取り出し蓋を兼ねている。さらに、この後カバー２２には、これをユニット本体３から分離したときにストロボ装置２３への給電を停止するための絶縁性の給電停止板３０が設けられている。ストロボ装置３０は本体基部２０の右前側で、前カバーユニット２１と挟まれるように組み込まれている。前カバーユニット２１は、前カバー２１本体と保護カバー８とで構成される。保護カバー８は、その上縁及び下縁に一体に形成されたガイド片を前カバー本体のガイド溝３２ａ，３２ｂに係合させることによって前カバー本体２１にスライド自在に取り付けられている。
【００１５】
図３に示すように、ストロボ装置２３は、ストロボ回路基板３６にストロボ発光部１１、メインスイッチ３８、シンクロスイッチ３９、メインコンデンサ４０、電池３５，電池３５を充電回路に接続する金属製の接片４１ａ，４１ｂ等を組み付けてユニット化したものである。このストロボ装置２３には、レンズ付きフイルムユニット２及びストロボ装置２３の不正規な再利用を防止するための充電禁止用ＩＣ４２が設けられている。
【００１６】
メインスイッチ３８は、ストロボ回路基板３６上に設けられた３個の接点（ランド）３８ａ〜３８ｃと、このうちの接点３８ｃに半田付けされた金属接片３８ｄとからなる。操作レバー１２の上方へのスライドにより、スイッチ板３３の背後に設けられた突起３３ａが押圧片３８ｄを弾性変形させて各接点３８ａ，３８ｂに接触させることによって、メインスイッチ３８がＯＮとなる。このメインスイッチ３８は、充電スイッチと発光選択スイッチを兼ねており、オンとなると充電回路でメインコデンサ４０への充電が行われるとともに、ストロボ発光が許容される。
【００１７】
シンクロスイッチ３９は、上下に並べて配された一対の接片からなり、シャッタ機構が作動されたときにシャッタ羽根に一体に形成された押圧片（図示せず）で上側の接片が押圧されて下側の接片に接触することによりＯＮとなる。このシンクロスイッチ３９のオンにより、メインコンデンサ４０が放電されてストロボ発光部１１からストロボ光が放出される。
【００１８】
不正規な再利用を防止するためのセキュリティ回路である充電禁止用ＩＣ４２は、充電回路を形成する発振トランジスタ４３とともに面実装部品とされており、ストロボ回路基板３６上で発振トランジスタ４３に隣接させて面実装されている。この充電禁止用ＩＣ４２は、充電回路とともに電池３５からの給電を受けて動作する。充電禁止用ＩＣ４２は、いったん電池３５からの給電が停止されると、所定の回復信号を回路基板上の入力端子４７から充電禁止用ＩＣ４２に入力するまでストロボ装置２３の充電動作を不能にする。なお、充電禁止用ＩＣ４２は、電池３５の消耗等により給電される電圧が一定レベル以下となった場合にも、ストロボ装置２３の充電動作を不能にする。
【００１９】
充電禁止用ＩＣ４２と発振トランジスタ４３とこれらの間の配線パターンは、絶縁性を有した、例えば樹脂製の保護層４５で覆われている。この保護層４５は、充電禁止用ＩＣ４２を取り外したり、発振トランジスタ４３を取り外して別の発振トランジスタを接続したり、ジャンパ線を付加する等して充電禁止用ＩＣ４２の機能を無効化するためのハード的な改造を不可能とするためのものである。
【００２０】
電池３５は、接片４１ａ，４１ｂの間に保持されて、ストロボ回路基板３６下方の電池室内に収納される。接片４１ａには、弾性変形可能で電池３５の一方の電極、例えばマイナス電極と接触する接触部４６が形成されている。充電回路及び充電禁止用ＩＣ４２は、接片４１ａ，４１ｂを介して電池３５からの給電を受けて動作する。
【００２１】
接片４１ａと、これと接触するマイナス電極との間には、後カバー２２と一体に形成された給電停止板３０が入り込むようになっている。この給電停止板３０は、後カバー２２を本体基部２０に装着した際に、本体基部２０の下部に設けられた開口４４より、電池室内に突出される。給電停止板３０には、開口３０ａが形成されており、この開口３０ａより接片４１ａの接触部４６が電池３５側に突出されて、接触部４６と電池３５のマイナス電極との接続を許容する。
【００２２】
後カバー２２を本体基部２０から分離する際には、給電停止板３０の先端に形成された遮断部３０ｂが接触部４６を電池３５のマイナス電極から離れる方向に弾性変形させながら、マイナス電極と接片３０ａの間を通ってユニット本体２の後方に移動される。この遮断部３０ｂの移動により、電池３５のマイナス電極と接触部４６、すなわち接片３０ａとの電気的な接続が一時的に断たれ、充電禁止用ＩＣ４２を含むストロボ装置２３の給電が一時的に停止されるようになっている。
【００２３】
このレンズ付きフイルムユニット２では、使用済のユニット本体３に新たな写真フイルムカートリッジを再装填する場合には、後ろカバー２２をユニット本体３から分離することが必要である。そして、この後カバー２２に上記のような給電停止板３０を設けておくことによって、後カバー２２を分離した際には、充電禁止用ＩＣ４２への給電が一時的に停止され、再び電池３５からの給電が開始されても所定の回復信号を充電禁止用ＩＣ４２へ入力しない限り、ストロボ装置２３の充電動作は不能のままである。
【００２４】
図４は本発明を用いたＧＰＳ受信装置５０を備えた図１のレンズ付きフイルムユニットである。図１で説明したものについては同符号を用いる。レンズ付きフイルムユニット２の側面にはＧＰＳ受信装置５０が備えてあり、上面にはカメラ機能の回復可能エリアか否かの表示灯５１と、この表示灯５１の光を外部に導くための開口部５２が形成されている。ＧＰＳ受信装置５０上面には伸縮自在のアンテナ４９が備えてあり、通常の撮影時にはこのアンテナを短く縮めＧＰＳ受信装置５０内に収納しておくことが望ましい。このＧＰＳ受信装置５０はレンズ付きフイルムユニット２に固定されており着脱不可とする。
【００２５】
図５に示すように、使用済みレンズ付きフイルムユニットは人工衛星５３からの電波をＧＰＳ受信装置５０で受信し、緯度、経度等の現在位置データを検知する。建物５５はＧＰＳ受信装置５０に設定してある製造メーカーのリサイクル工場であり、この建物５５の周りにあるエリア５６はＧＰＳ受信装置５０の測定誤差を考慮した充電不能を回復できる有効エリアである。また、建物５７はＧＰＳ受信装置５０に設定されていない不正規なリサイクル工場であり、充電禁止を回復出来ない無効エリアである。前記回復の有効エリアでは前記表示灯５１が点灯し、回復の無効エリアではこの表示灯５１は消灯する。
【００２６】
図６に示すように、ストロボ基板３６に備えてある回復信号入力部へ回復信号の入力が行われると、人工衛星５３からの電波をＧＰＳ受信装置５０内の位置データ受信部６１で受信し受信位置の検知が行われる。そして、位置判別部６０に受信位置データとメモリ６２内にある予め設定されている位置データを読み出し、充電禁止の回復有効エリアか否かの判別が行われる。有効エリア内であれば表示灯５１を点灯させ、充電禁止用ＩＣ４２に入力された回復信号が有効化され充電禁止の回復が行われる。もし、無効エリアであれば表示灯５１は点灯せず、回復信号の入力が行われても充電禁止の回復は行われない。
【００２７】
図７は本実施例の作用をフローチャートに示す。使用済みのレンズ付きフイルムユニットに新たな写真フイルムを装填しリサイクルを行うときに、後ろカバー２２をユニット本体３から分離させなければならない。そのため、充電禁止用ＩＣ４２によってストロボ装置２３の充電が禁止される。この充電禁止を回復させるためにストロボ回路基板３６にある充電禁止用ＩＣ４２に回復信号を入力する。この回復信号の入力によって入力場所の位置データが検知され、判別部によって充電回復の有効エリア内かエリア外かの判別が行われる。もし有効エリア内であれば充電禁止を回復させ、充電可能となりストロボ装置はリサイクル可能となる。有効エリア外であれば、充電禁止のままなのでリサイクルは不可能である。
【００２８】
上記実施例では、レンズ付きフイルムユニットを用いたが、例えばリサイクル用のデジタルカメラやスチルカメラなどでもよい。また、カメラ機能はストロボ回路の充電を不能としたが、シャッター操作やフイルム巻き上げ操作などのカメラ機能を不能にしてもよい。
【００２９】
また、電波送信装置と電波受信装置にはＧＰＳを利用したが、既存のＰＨＳや携帯電話等の通信網を利用してこの位置検出電波を送り、位置検出を行ってもよい。
【００３０】
【発明の効果】
以上のように、本発明によれば、すべての撮影終了もしくはカメラの所定構成部品の分離操作に応じてカメラ機能を不能とさせ、この不能となったカメラ機能を回復させる際に、回復信号の入力された位置をＧＰＳ受信装置によって検知し、この検知された位置が、予め設定されている位置と一致するときにだけカメラ機能を回復できるようにしたことで、第三者による回復信号の解読等による不正規なリサイクルを確実に防止できる。
【図面の簡単な説明】
【図１】レンズ付きフイルムユニットの外観斜視図である。
【図２】レンズ付きフイルムユニットの分解図である。
【図３】ストロボ装置を示す斜視図である。
【図４】本発明を用いたレンズ付きフイルムユニットの外観斜視図である。
【図５】ＧＰＳによる回復信号の入力された位置検知の説明図である。
【図６】本発明によるＧＰＳの内部構成を示すブロック図である。
【図７】本発明のフローチャート図である。
【符号の説明】
２　レンズ付きフイルムユニット
２３　ストロボ装置
４２　充電禁止ＩＣ
４９　アンテナ
５０　ＧＰＳ
５１　表示部
５３　人工衛星
６０　位置判別部
６１　位置データ受信部
６２　メモリ
【図１】
2004020642.tif 000003
【図２】
2004020642.tif 000004
【図３】
2004020642.tif 000005
【図４】
2004020642.tif 000006
【図５】
2004020642.tif 000007
【図６】
2004020642.tif 000008
【図７】
2004020642.tif 000009